【手続補正書】
【提出日】平成18年5月11日(2006.5.11)
【手続補正１】
【補正対象書類名】明細書
【補正対象項目名】特許請求の範囲
【補正方法】変更
【補正の内容】
【特許請求の範囲】
【請求項１】
複数種類の解像度の原稿画像を含む所定フォーマットの画像ファイルに対して、文字認識を実行する場合の最適解像度の原稿画像を判定する判定手段と、
前記判定手段で判定された最適解像度の情報を保存する保存手段と
を備えることを特徴とする画像処理装置。
【請求項２】
前記保存手段により保存された最適解像度の情報に基づいて、前記画像ファイルに含まれる前記最適解像度の原稿画像の文字認識を行う認識手段と、
前記認識手段による認識結果を出力する出力手段と
を更に備えることを特徴とする請求項１に記載の画像処理装置。
【請求項３】
前記保存手段は、前記最適解像度の情報を前記画像ファイル内に保存する
ことを特徴とする請求項１に記載の画像処理装置。
【請求項４】
入力された原稿画像を複数種類の解像度の原稿画像に変換し、当該変換された複数種類の解像度の原稿画像を含む所定のフォーマットの画像ファイルを生成する変換手段を更に備える
ことを特徴とする請求項１に記載の画像処理装置。
【請求項５】
前記所定のフォーマットは、ＦｌａｓｈＰｉｘまたはＣＩＦＦである
ことを特徴とする請求項１に記載の画像処理装置。
【請求項６】
前記判定手段は、前記画像ファイルに含まれる各解像度の原稿画像における所定領域に対して文字認識を実行し、各文字認識結果に基づいて、前記最適解像度の原稿画像を判定する
ことを特徴とする請求項１に記載の画像処理装置。
【請求項７】
前記所定領域は、前記原稿画像に含まれるテキストブロックのうちの最初のブロックである
ことを特徴とする請求項６に記載の画像処理装置。
【請求項８】
前記判定手段は、前記文字認識結果の平均相関値を解像度ごとに求めて、前記最適解像度の原稿画像を判定する
ことを特徴とする請求項１に記載の画像処理装置。
【請求項９】
前記判定手段は、前記画像ファイルに含まれる複数の解像度の原稿画像に対して、当該解像度が低い方から高い方、あるいは高い方から低い方のいずれかの順で、順次文字認識を実行していき、前記平均相関値がピークを示したと判断すると当該文字認識を停止し、当該ピークを示した際の解像度を前記最適解像度として判定する
ことを特徴とする請求項８に記載の画像処理装置。
【請求項１０】
画像処理装置を制御するための画像処理方法であって、
複数種類の解像度の原稿画像を含む所定フォーマットの画像ファイルに対して、文字認識を実行する場合の最適解像度の原稿画像を判定する判定工程と、
前記判定工程で判定された最適解像度の情報を保存する保存工程と
を備えることを特徴とする、画像処理装置を制御するための画像処理方法。
【請求項１１】
複数種類の解像度の原稿画像を含む所定フォーマットの画像ファイルに対して、文字認識を実行する場合の最適解像度の原稿画像を判定する判定工程と、
前記判定工程で判定された最適解像度の情報を保存する保存工程と
の各工程をコンピュータに実行させるためのコンピュータプログラムを格納した、コンピュータ可読記憶媒体。
【手続補正２】
【補正対象書類名】明細書
【補正対象項目名】０００５
【補正方法】変更
【補正の内容】
【０００５】
【課題を解決するための手段】
上記の目的を達成するための本発明による画像処理装置は以下の構成を備える。即ち、
複数種類の解像度の原稿画像を含む所定フォーマットの画像ファイルに対して、文字認識を実行する場合の最適解像度の原稿画像を判定する判定手段と、
前記判定手段で判定された最適解像度の情報を保存する保存手段と
を備える。
【手続補正３】
【補正対象書類名】明細書
【補正対象項目名】０００６
【補正方法】変更
【補正の内容】
【０００６】
また、好ましくは、前記保存手段により保存された最適解像度の情報に基づいて、前記画像ファイルに含まれる前記最適解像度の原稿画像の文字認識を行う認識手段と、
前記認識手段による認識結果を出力する出力手段と
を更に備える。
【手続補正４】
【補正対象書類名】明細書
【補正対象項目名】０００７
【補正方法】変更
【補正の内容】
【０００７】
また、好ましくは、前記保存手段は、前記最適解像度の情報を前記画像ファイル内に保存する。
【手続補正５】
【補正対象書類名】明細書
【補正対象項目名】０００８
【補正方法】変更
【補正の内容】
【０００８】
また、好ましくは、入力された原稿画像を複数種類の解像度の原稿画像に変換し、当該変換された複数種類の解像度の原稿画像を含む所定のフォーマットの画像ファイルを生成する変換手段を更に備える
【手続補正６】
【補正対象書類名】明細書
【補正対象項目名】０００９
【補正方法】変更
【補正の内容】
【０００９】
また、好ましくは、前記所定のフォーマットは、ＦｌａｓｈＰｉｘまたはＣＩＦＦである。
【手続補正７】
【補正対象書類名】明細書
【補正対象項目名】００１０
【補正方法】変更
【補正の内容】
【００１０】
また、好ましくは、前記判定手段は、前記画像ファイルに含まれる各解像度の原稿画像における所定領域に対して文字認識を実行し、各文字認識結果に基づいて、前記最適解像度の原稿画像を判定する。
【手続補正８】
【補正対象書類名】明細書
【補正対象項目名】００１１
【補正方法】変更
【補正の内容】
【００１１】
また、好ましくは、前記所定領域は、前記原稿画像に含まれるテキストブロックのうちの最初のブロックである。
【手続補正９】
【補正対象書類名】明細書
【補正対象項目名】００１２
【補正方法】変更
【補正の内容】
【００１２】
また、好ましくは、前記判定手段は、前記文字認識結果の平均相関値を解像度ごとに求めて、前記最適解像度の原稿画像を判定する。
【手続補正１０】
【補正対象書類名】明細書
【補正対象項目名】００１３
【補正方法】変更
【補正の内容】
【００１３】
また、好ましくは、前記判定手段は、前記画像ファイルに含まれる複数の解像度の原稿画像に対して、当該解像度が低い方から高い方、あるいは高い方から低い方のいずれかの順で、順次文字認識を実行していき、前記平均相関値がピークを示したと判断すると当該文字認識を停止し、当該ピークを示した際の解像度を前記最適解像度として判定する。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
上記の目的を達成するための本発明による画像処理方法は以下の構成を備える。即ち、
画像処理装置を制御するための画像処理方法であって、
複数種類の解像度の原稿画像を含む所定フォーマットの画像ファイルに対して、文字認識を実行する場合の最適解像度の原稿画像を判定する判定工程と、
前記判定工程で判定された最適解像度の情報を保存する保存工程と
を備えることを特徴とする。
【手続補正１３】
【補正対象書類名】明細書
【補正対象項目名】００１６
【補正方法】変更
【補正の内容】
【００１６】
上記の目的を達成するための本発明によるコンピュータ可読記憶媒体は以下の構成を備える。即ち、
複数種類の解像度の原稿画像を含む所定フォーマットの画像ファイルに対して、文字認識を実行する場合の最適解像度の原稿画像を判定する判定工程と、
前記判定工程で判定された最適解像度の情報を保存する保存工程と
の各工程をコンピュータに実行させるためのコンピュータプログラムを格納したことを特徴とする。
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】